【手続補正書】
【提出日】平成22年7月16日(2010.7.16)
【手続補正１】
【補正対象書類名】明細書
【補正対象項目名】００２２
【補正方法】変更
【補正の内容】
【００２２】
一方、ハンドオーバしなければならないことを感知すると、ＭＳ１１０は、ステップ１２７で、ハンドオーバ要求（Handover request：以下、“ＨＯ-ＲＥＱ”と称する。）メッセージを第１のＢＳ１２０に送信する。ステップ１２９で、第１のＢＳ１２０は、ＨＯ-ＲＥＱメッセージに応じたハンドオーバ応答（Handover response：以下、“ＨＯ-ＲＳＰ”と称する。）メッセージをＭＳ１１０に送信する。ＨＯ-ＲＳＰメッセージは、ＭＳ１１０がハンドオーバするターゲットＢＳ（例えば、第２のＢＳ１３０）に関する情報を含む。ＭＳ１１０は、ＨＯ-ＲＳＰメッセージに含まれている情報に基づいて第２のＢＳ１３０にハンドオーバするか否かを決定する。ＭＳ１１０が第２のＢＳ１３０にハンドオーバすることを決定すると、ＭＳ１１０は、ステップ１３１で、第２のＢＳ１３０にハンドオーバすることを示すハンドオーバ指示（Handover Indication：以下、“ＨＯ-ＩＮＤ”と称する。）メッセージを第１のＢＳ１２０に送信した後に、ステップ１３３で、ＲＮＧ-ＲＥＱメッセージをハンドオーバターゲットＢＳ（すなわち、第２のＢＳ１３０）に送信する。
【手続補正２】
【補正対象書類名】明細書
【補正対象項目名】００３０
【補正方法】変更
【補正の内容】
【００３０】
上記のような目的を達成するために、本発明の一態様によれば、通信システムにおける端末機の接続識別子（ＣＩＤ）を管理する方法を提案する。上記ＣＩＤ管理方法は、上記端末機の主管理接続識別子の決定に使用される設定値を含むダウンリンクメッセージを上記端末機に送信するステップと、上記設定値を上記端末機に割り当てられた基本接続識別子に加算することにより上記主管理接続識別子を決定するステップとを具備することを特徴とする。
【手続補正３】
【補正対象書類名】明細書
【補正対象項目名】００３１
【補正方法】変更
【補正の内容】
【００３１】
本発明の他の態様によれば、通信システムにおける端末機（ＭＳ）の接続識別子（ＣＩＤ）を管理する方法を提案する。上記ＣＩＤ管理方法は、上記端末機の主管理接続識別子の決定に使用される設定値を含むダウンリンクメッセージを基地局から受信するステップと、上記設定値を上記端末機に割り当てられた上記基本接続識別子に加算することにより上記主管理接続識別子を決定するステップとを具備することを特徴とする。
【手続補正４】
【補正対象書類名】明細書
【補正対象項目名】００３２
【補正方法】変更
【補正の内容】
【００３２】
本発明の他の態様によれば、通信システムにおける端末機の接続識別子（ＣＩＤ）を管理する基地局装置を提案する。基地局装置は、上記端末機の主管理接続識別子の決定に使用される設定値を含むダウンリンクメッセージを上記端末機に送信する送信部と、上記設定値を上記端末機に割り当てられた基本接続識別子に加算することにより上記主管理接続識別子を決定する接続識別子割当部と、を具備する。
【手続補正５】
【補正対象書類名】明細書
【補正対象項目名】００３３
【補正方法】変更
【補正の内容】
【００３３】
本発明の他の態様によれば、通信システムにおける接続識別子（ＣＩＤ）を管理する端末機装置を提案する。端末機装置は、上記端末機装置の主管理接続識別子の決定に使用される設定値を含むダウンリンクメッセージを基地局から受信する受信部と、上記端末機装置に割り当てられた基本接続識別子に上記設定値を加算することにより上記主管理接続識別子を決定する接続識別子計算部と、を具備する。
【手続補正６】
【補正対象書類名】明細書
【補正対象項目名】００３４
【補正方法】変更
【補正の内容】
【００３４】
本発明の他の態様によれば、通信システムにおける端末機の接続識別子（ＣＩＤ）を管理する方法を提案する。方法は、上記端末機に割当て可能な転送接続識別子の決定に使用される第１の設定値及び第２の設定値を含むダウンリンクメッセージを上記端末機に送信するステップと、上記端末機に割り当てられた基本接続識別子と第１の設定値及び第２の設定値を用いて上記端末機に割当て可能な転送接続識別子の範囲を決定するステップと、上記決定された範囲内で上記端末機のための少なくとも一つの転送接続識別子を決定するステップと、を具備する。
【手続補正７】
【補正対象書類名】明細書
【補正対象項目名】００３５
【補正方法】変更
【補正の内容】
【００３５】
本発明の他の態様によれば、通信システムにおける端末機（ＭＳ）の接続識別子（ＣＩＤ）を管理する方法を提供する。方法は、上記端末機に割当て可能な転送接続識別子の決定に使用される第１の設定値及び第２の設定値を含むダウンリンクメッセージを基地局から受信するステップと、上記端末機に割り当てられた基本接続識別子と第１の設定値及び第２の設定値を用いて上記端末機に割当て可能な転送接続識別子の範囲を決定するステップと、上記決定された範囲内で上記端末機のための少なくとも一つの転送接続識別子を決定するステップと、を具備する。
【手続補正８】
【補正対象書類名】明細書
【補正対象項目名】００３６
【補正方法】変更
【補正の内容】
【００３６】
本発明の他の態様によれば、通信システムにおける端末機の接続識別子（ＣＩＤ）を管理する基地局装置を提案する。基地局装置は、上記端末機に割当て可能な転送接続識別子の決定に使用される第１の設定値及び第２の設定値を含むダウンリンクメッセージを上記端末機に送信する送信部と、上記端末機に割り当てられた基本接続識別子と第１の設定値及び第２の設定値を用いて上記端末機に割当て可能な転送接続識別子の範囲を決定し、上記決定された範囲内で上記端末機のための少なくとも一つの転送接続識別子を決定する接続識別子割当部と、を含む。
【手続補正９】
【補正対象書類名】明細書
【補正対象項目名】００３７
【補正方法】変更
【補正の内容】
【００３７】
本発明の他の態様によれば、通信システムにおける接続識別子（ＣＩＤ）を管理する端末機装置を提案する。端末機装置は、上記端末機に割当て可能な転送接続識別子の決定に使用される第１の設定値及び第２の設定値を含むダウンリンクメッセージを基地局（ＢＳ）から受信する受信部と、上記端末機に割り当てられた基本接続識別子と第１の設定値及び第２の設定値を用いて上記端末機装置に割当て可能な転送接続識別子の範囲を決定し、上記決定された範囲内で上記端末機装置のための少なくとも一つの転送接続識別子を決定する接続識別子計算部と、を具備する。
【手続補正１０】
【補正対象書類名】明細書
【補正対象項目名】００４６
【補正方法】変更
【補正の内容】
【００４６】
ステップ２１１で、第１のＢＳ２２０は、ダウンリンクチャネルディスクリプタ（Downlink Channel Descriptor：以下、“ＤＣＤ”と称する。）メッセージをＭＳ２１０に送信する。このＤＣＤメッセージは、第１のＢＳ２２０がブロードキャストするメッセージである。本発明において、第１のＢＳ２２０が基本ＣＩＤだけをＭＳ２１０に割り当てる場合に、このＤＣＤメッセージは、主管理ＣＩＤ値を取得するためのオフセット値を含む。すなわち、この基本ＣＩＤ値を受信すると、ＭＳ２１０は、オフセット値を基本ＣＩＤ値に適用することにより、個別の主管理ＣＩＤを受信しなくても主管理ＣＩＤを取得することができる。
【手続補正１１】
【補正対象書類名】特許請求の範囲
【補正対象項目名】全文
【補正方法】変更
【補正の内容】
【特許請求の範囲】
【請求項１】
通信システムにおける端末機の接続識別子（ＣＩＤ）を管理する方法であって、
前記端末機の主管理接続識別子の決定に使用される設定値を含むダウンリンクメッセージを前記端末機に送信するステップと、
前記設定値を前記端末機に割り当てられた基本接続識別子に加算することにより前記主管理接続識別子を決定するステップと、
を具備することを特徴とする方法。
【請求項２】
前記ダウンリンクメッセージは、ダウンリンクチャネルディスクリプタ(Downlink Channel Descriptor:ＤＣＤ)メッセージであることを特徴とする請求項１に記載の方法。
【請求項３】
前記設定値は、基地局で割当て可能な基本接続識別子の中の最大値であることを特徴とする請求項１に記載の方法。
【請求項４】
前記端末機からレンジング要求(ＲＮＧ-ＲＥＱ)メッセージを受信するステップと、
前記基本接続識別子を含むレンジング応答(ＲＮＧ-ＲＳＰ)メッセージを前記端末機に送信するステップと、をさらに含むことを特徴とする請求項１に記載の方法。
【請求項５】
前記端末機からハンドオーバ要求(ＨＯ-ＲＥＱ)メッセージを受信するステップと、
ターゲット基地局の情報と前記ターゲット基地局で使用されるための基本接続識別子とを含むハンドオーバ応答(ＨＯ-ＲＳＰ)メッセージを前記端末機に送信するステップと、をさらに含み、
前記ターゲット基地局で使用されるための新規主管理接続識別子は、前記ターゲット基地局で使用されるための基本接続識別子に前記設定値を加算して決定されることを特徴とする請求項１に記載の方法。
【請求項６】
前記基本接続識別子及び前記ダウンリンクメッセージに含まれた情報に基づいて前記端末機のための少なくとも一つの転送接続識別子を決定するステップをさらに含むことを特徴とする請求項１に記載の方法。
【請求項７】
通信システムにおける端末機（ＭＳ）の接続識別子（ＣＩＤ）を管理する方法であって、
前記端末機の主管理接続識別子の決定に使用される設定値を含むダウンリンクメッセージを基地局から受信するステップと、
前記設定値を前記端末機に割り当てられた基本接続識別子に加算することにより前記主管理接続識別子を決定するステップと、
を具備することを特徴とする方法。
【請求項８】
前記ダウンリンクメッセージは、ダウンリンクチャネルディスクリプタ(Downlink Channel Descriptor:ＤＣＤ)メッセージであることを特徴とする請求項７に記載の方法。
【請求項９】
前記設定値は、前記基地局で割当て可能な基本接続識別子の中の最大値であることを特徴とする請求項７に記載の方法。
【請求項１０】
前記基地局にレンジング要求(ＲＮＧ-ＲＥＱ)メッセージを送信するステップと、
前記基本接続識別子を含むレンジング応答(ＲＮＧ-ＲＳＰ)メッセージを前記基地局から受信するステップと、をさらに含むことを特徴とする請求項７に記載の方法。
【請求項１１】
前記基地局にハンドオーバ要求(ＨＯ-ＲＥＱ)メッセージを送信するステップと、
ターゲット基地局の情報と前記ターゲット基地局で使用されるための基本接続識別子とを含むハンドオーバ応答(ＨＯ-ＲＳＰ)メッセージを前記基地局から受信するステップと、をさらに含み、
前記ターゲット基地局で使用されるための新規主管理接続識別子は、前記ターゲット基地局で使用されるための基本接続識別子に前記設定値を加算して決定されることを特徴とする請求項７に記載の方法。
【請求項１２】
前記基本接続識別子及び前記ダウンリンクメッセージに含まれた情報に基づいて前記端末機のための少なくとも一つの転送接続識別子を決定するステップをさらに含むことを特徴とする請求項７に記載の方法。
【請求項１３】
通信システムにおける端末機の接続識別子（ＣＩＤ）を管理する基地局装置であって、
前記端末機の主管理接続識別子の決定に使用される設定値を含むダウンリンクメッセージを前記端末機に送信する送信部と、
前記設定値を前記端末機に割り当てられた基本接続識別子に加算することにより前記主管理接続識別子を決定する接続識別子割当部と、
を具備することを特徴とする基地局装置。
【請求項１４】
前記ダウンリンクメッセージは、ダウンリンクチャネルディスクリプタ(Downlink Channel Descriptor:ＤＣＤ)メッセージであることを特徴とする請求項１３に記載の基地局装置。
【請求項１５】
前記設定値は、前記基地局で割当て可能な基本接続識別子の中の最大値であることを特徴とする請求項１３に記載の基地局装置。
【請求項１６】
前記送信部は、
前記端末機からレンジング要求(ＲＮＧ-ＲＥＱ)メッセージが受信されると、前記基本接続識別子を含むレンジング応答(ＲＮＧ-ＲＳＰ)メッセージを前記端末機に送信することを特徴とする請求項１３に記載の基地局装置。
【請求項１７】
前記送信部は、
前記端末機からハンドオーバ要求(ＨＯ-ＲＥＱ)メッセージが受信されると、ターゲット基地局の情報と前記ターゲット基地局で使用されるための基本接続識別子とを含むハンドオーバ応答(ＨＯ-ＲＳＰ)メッセージを前記端末機に送信し、
前記ターゲット基地局で使用されるための新規主管理接続識別子は、前記ターゲット基地局で使用されるための基本接続識別子に前記設定値を加算して決定されることを特徴とする請求項１３に記載の基地局装置。
【請求項１８】
前記接続識別子割当部は、
前記基本接続識別子及び前記ダウンリンクメッセージに含まれた情報に基づいて前記端末機のための少なくとも一つの転送接続識別子を決定することを特徴とする請求項１３に記載の基地局装置。
【請求項１９】
通信システムにおける接続識別子（ＣＩＤ）を管理する端末機装置であって、
前記端末機装置の主管理接続識別子の決定に使用される設定値を含むダウンリンクメッセージを基地局から受信する受信部と、
前記端末機装置に割り当てられた基本接続識別子に前記設定値を加算することにより前記主管理接続識別子を決定する接続識別子計算部と、
を具備することを特徴とする端末機装置。
【請求項２０】
前記ダウンリンクメッセージは、ダウンリンクチャネルディスクリプタ(Downlink Channel Descriptor:ＤＣＤ)メッセージであることを特徴とする請求項１９に記載の端末機装置。
【請求項２１】
前記設定値は、前記基地局で割当て可能な基本接続識別子の中の最大値であることを特徴とする請求項１９に記載の端末機装置。
【請求項２２】
前記受信部は、
前記基地局にレンジング要求(ＲＮＧ-ＲＥＱ)メッセージが送信された後に、前記基本接続識別子を含むレンジング応答(ＲＮＧ-ＲＳＰ)メッセージを前記基地局から受信することを特徴とする請求項１９に記載の端末機装置。
【請求項２３】
前記受信部は、
前記基地局にハンドオーバ要求(ＨＯ-ＲＥＱ)メッセージが送信された後に、ターゲット基地局の情報と前記ターゲット基地局で使用されるための基本接続識別子とを含むハンドオーバ応答(ＨＯ-ＲＳＰ)メッセージを前記基地局から受信し、
前記ターゲット基地局で使用されるための新規主管理接続識別子は、前記ターゲット基地局で使用されるための基本接続識別子に前記設定値を加算して決定されることを特徴とする請求項１９に記載の端末機装置。
【請求項２４】
前記接続識別子計算部は、
前記基本接続識別子及び前記ダウンリンクメッセージに含まれた情報に基づいて前記端末機装置のための少なくとも一つの転送接続識別子を決定することを特徴とする請求項１９に記載の端末機装置。
【請求項２５】
通信システムにおける端末機の接続識別子（ＣＩＤ）を管理する方法であって、
前記端末機に割当て可能な転送接続識別子の決定に使用される第１の設定値及び第２の設定値を含むダウンリンクメッセージを前記端末機に送信するステップと、
前記端末機に割り当てられた基本接続識別子と第１の設定値及び第２の設定値を用いて前記端末機に割当て可能な転送接続識別子の範囲を決定するステップと、
前記決定された範囲内で前記端末機のための少なくとも一つの転送接続識別子を決定するステップと、
を具備することを特徴とする方法。
【請求項２６】
前記ダウンリンクメッセージは、ダウンリンクチャネルディスクリプタ(Downlink Channel Descriptor:ＤＣＤ)メッセージであることを特徴とする請求項２５に記載の方法。
【請求項２７】
前記第１の設定値は、基地局で割当て可能な基本接続識別子の中の最大値を示し、前記第２の設定値は、各端末機別に予約した転送接続識別子の個数を示すことを特徴とする請求項２５に記載の方法。
【請求項２８】
前記決定するステップは、
前記決定された範囲内で前記端末機の転送接続識別子を昇順にアップデートすることを特徴とする請求項２５に記載の方法。
【請求項２９】
前記割当て可能な転送接続識別子の中の第１の転送ＣＩＤは、
下記の数式を使用して決定されることを特徴とする請求項２５に記載の方法。
（数１）
第１の転送ＣＩＤ＝｛（２ｍ＋１）＋（基本ＣＩＤ−１） ｘ ａ｝
ここで、‘ｍ’は、前記第１の設定値を示し、‘ａ’は、前記第２の設定値を示す。
【請求項３０】
前記割当て可能な転送接続識別子の範囲は、下記の数式を使用して決定されることを特徴とする請求項２５に記載の方法。
（数２）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘ｍ’は、前記第１の設定値を示し、‘ａ’は、前記第２の設定値を示す。
【請求項３１】
基地局で許可しない少なくとも一つの転送接続識別子を示す情報を前記端末機に送信するステップをさらに具備することを特徴とする請求項２５に記載の方法。
【請求項３２】
前記情報は、前記端末機に割当て可能な転送接続識別子の中の許可されない少なくとも１つの転送接続識別子を示すビットマップを含むことを特徴とする請求項３１に記載の方法。
【請求項３３】
通信システムにおける端末機（ＭＳ）の接続識別子（ＣＩＤ）を管理する方法であって、
前記端末機に割当て可能な転送接続識別子の決定に使用される第１の設定値及び第２の設定値を含むダウンリンクメッセージを基地局から受信するステップと、
前記端末機に割り当てられた基本接続識別子と第１の設定値及び第２の設定値を用いて前記端末機に割当て可能な転送接続識別子の範囲を決定するステップと、
前記決定された範囲内で前記端末機のための少なくとも一つの転送接続識別子を決定するステップと、
を具備することを特徴とする方法。
【請求項３４】
前記ダウンリンクメッセージは、ダウンリンクチャネルディスクリプタ(Downlink Channel Descriptor:ＤＣＤ)メッセージであることを特徴とする請求項３３に記載の方法。
【請求項３５】
前記第１の設定値は、前記基地局で割当て可能な基本接続識別子の中の最大値を示し、前記第２の設定値は、各端末機別に予約した転送接続識別子の個数を示すことを特徴とする請求項３３に記載の方法。
【請求項３６】
前記決定するステップは、
前記決定された範囲内で前記端末機の転送接続識別子を昇順にアップデートすることを特徴とする請求項３３に記載の方法。
【請求項３７】
前記割当て可能な転送接続識別子の中の第１の転送接続識別子は、
下記の数式を使用して決定されることを特徴とする請求項３３に記載の方法。
（数３）
第１の転送ＣＩＤ＝｛（２ｍ＋１）＋（基本ＣＩＤ−１） ｘ ａ｝
ここで、‘ｍ’は、前記第１の設定値を示し、‘ａ’は、前記第２の設定値を示す。
【請求項３８】
前記割当て可能な転送接続識別子の範囲は、下記の数式を使用して決定されることを特徴とする請求項３３に記載の方法。
（数４）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘ｍ’は、前記第１の設定値を示し、‘ａ’は、前記第２の設定値を示す。
【請求項３９】
前記基地局で許可しない少なくとも一つの転送接続識別子を示す情報を前記基地局から受信するステップをさらに具備することを特徴とする請求項３３に記載の方法。
【請求項４０】
前記情報は、前記端末機に割当て可能な転送接続識別子の中の許可されない少なくとも１つの転送接続識別子を示すビットマップを含むことを特徴とする請求項３９に記載の方法。
【請求項４１】
通信システムにおける端末機の接続識別子（ＣＩＤ）を管理する基地局装置であって、
前記端末機に割当て可能な転送接続識別子の決定に使用される第１の設定値及び第２の設定値を含むダウンリンクメッセージを前記端末機に送信する送信部と、
前記端末機に割り当てられた基本接続識別子と第１の設定値及び第２の設定値を用いて前記端末機に割当て可能な転送接続識別子の範囲を決定し、前記決定された範囲内で前記端末機のための少なくとも一つの転送接続識別子を決定する接続識別子割当部と、
を含むことを特徴とする基地局装置。
【請求項４２】
前記ダウンリンクメッセージは、ダウンリンクチャネルディスクリプタ(Downlink Channel Descriptor:ＤＣＤ)メッセージであることを特徴とする請求項４１に記載の基地局装置。
【請求項４３】
前記第１の設定値は、基地局で割当て可能な基本接続識別子の中の最大値を示し、前記第２の設定値は、各端末機別に予約した転送接続識別子の個数を示すことを特徴とする請求項４１に記載の基地局装置。
【請求項４４】
前記接続識別子割当部は、
前記決定された範囲内で前記端末機の転送接続識別子を昇順にアップデートすることを特徴とする請求項４１に記載の基地局装置。
【請求項４５】
前記割当て可能な転送接続識別子の中の第１の転送ＣＩＤは、下記の数式を使用して決定されることを特徴とする請求項４１に記載の基地局装置。
（数５）
第１の転送ＣＩＤ＝｛（２ｍ＋１）＋（基本ＣＩＤ−１） ｘ ａ｝
ここで、‘ｍ’は、前記第１の設定値を示し、‘ａ’は、前記第２の設定値を示す。
【請求項４６】
前記割当て可能な転送接続識別子の範囲は、下記の数式を使用して決定されることを特徴とする請求項４１に記載の装置。
（数６）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘ｍ’は、前記第１の設定値を示し、‘ａ’は、前記第２の設定値を示す。
【請求項４７】
前記送信部は、基地局で許可しない少なくとも一つの転送接続識別子を示す情報を前記端末機に送信することを特徴とする請求項４１に記載の基地局装置。
【請求項４８】
前記情報は、前記端末機に割当て可能な転送接続識別子の中の許可されない少なくとも１つの転送接続識別子を示すビットマップを含むことを特徴とする請求項４７に記載の基地局装置。
【請求項４９】
通信システムにおける接続識別子（ＣＩＤ）を管理する端末機装置であって、
前記端末機装置に割当て可能な転送接続識別子の決定に使用される第１の設定値及び第２の設定値を含むダウンリンクメッセージを基地局（ＢＳ）から受信する受信部と、
前記端末機装置に割り当てられた基本接続識別子と第１の設定値及び第２の設定値を用いて前記端末機装置に割当て可能な転送接続識別子の範囲を決定し、前記決定された範囲内で前記端末機装置のための少なくとも一つの転送接続識別子を決定する接続識別子計算部と、
を具備することを特徴とする端末機装置。
【請求項５０】
前記ダウンリンクメッセージは、ダウンリンクチャネルディスクリプタ(Downlink Channel Descriptor:ＤＣＤ)メッセージであることを特徴とする請求項４９に記載の端末機装置。
【請求項５１】
前記第１の設定値は、前記基地局で割当て可能な基本接続識別子の中の最大値を示し、前記第２の設定値は、各端末機装置別に予約した転送接続識別子の個数を示すことを特徴とする請求項４９に記載の端末機装置。
【請求項５２】
前記接続識別子計算部は、
前記決定された範囲内で前記端末機装置の転送接続識別子を昇順にアップデートすることを特徴とする請求項４９に記載の端末機装置。
【請求項５３】
前記割当て可能な転送接続識別子の中の第１の転送ＣＩＤは、
下記の数式を使用して決定されることを特徴とする請求項４９に記載の端末機装置。
（数７）
第１の転送ＣＩＤ＝｛（２ｍ＋１）＋（基本ＣＩＤ−１） ｘ ａ｝
ここで、‘ｍ’は、前記第１の設定値を示し、‘ａ’は、前記第２の設定値を示す。
【請求項５４】
前記割当て可能な転送接続識別子の範囲は、下記の数式を使用して決定されることを特徴とする請求項４９に記載の端末機装置。
（数８）
転送ＣＩＤ範囲＝｛（２ｍ＋１）＋（基本ＣＩＤ−１） ｘ ａ｝から{２ｍ＋基本ＣＩＤ ｘ ａ}まで
ここで、‘ｍ’は、前記第１の設定値を示し、‘ａ’は、前記第２の設定値を示す。
【請求項５５】
前記受信部は、前記基地局で許可しない少なくとも一つの転送接続識別子を示す情報を、前記基地局から受信することを特徴とする請求項４９に記載の端末機装置。
【請求項５６】
前記情報は、前記端末機装置に割当て可能な転送接続識別子の中の許可されない少なくとも１つの転送接続識別子を示すビットマップを含むことを特徴とする請求項５５に記載の端末機装置。